(57)【要約】【課題】アンテナ装置の性能を向上できるようにする。【解決手段】アンテナ装置は、高周波信号を送受信する無線回路２２、給電部２５を有するノッチアンテナ２３、および、ノッチアンテナ２３と電磁結合により動作するノッチアンテナ２４が設けられ、無線回路２２とは高周波的に独立した基板２１により構成される。ノッチアンテナ２３は、基板２１において、無線回路２２が設けられた位置とは反対側の縁端からλ／４の長さの直線の切り込みにより構成される。ノッチアンテナ２４は、ノッチアンテナ２３から所定の距離ｄ離れた位置に、ノッチアンテナ２３と同じ縁端から、ノッチアンテナ２３と平行に切り込まれた、λ／４よりも若干短い長さの直線の切り込みにより構成される。本発明は、携帯電話機に適用することができる。【選択図】　　　図４
2004056421.tif 000002
【特許請求の範囲】
【請求項１】
無線回路と高周波的に独立した基板と、
前記基板上に形成された、給電部を有する切れ込み形の第１のノッチアンテナと、
前記基板上に形成された、前記第１のノッチアンテナと電磁結合により動作する切れ込み形の第２のノッチアンテナと
を備えることを特徴とするアンテナ装置。
【請求項２】
前記第２のノッチアンテナは、前記第１のノッチアンテナと異なる長さの切り込み形に形成されている
ことを特徴とする請求項１に記載のアンテナ装置。
【請求項３】
前記第２のノッチアンテナは、前記第１のノッチアンテナと主偏波が同一となるように平行に設けられている
ことを特徴とする請求項１に記載のアンテナ装置。
【請求項４】
前記第１のノッチアンテナと前記第２のノッチアンテナの切れ込み形は、Ｌ形、ジグザグ形またはメアンダ形である
ことを特徴とする請求項１に記載のアンテナ装置。
【請求項５】
前記第２のノッチアンテナは、異なる長さの切り込み形のものが、２つ以上設けられている
ことを特徴とする請求項１に記載のアンテナ装置。
【請求項６】
前記第１のノッチアンテナの開放端と前記第２のノッチアンテナの開放端は、共通開放端と接続されている
ことを特徴とする請求項１に記載のアンテナ装置。
【請求項７】
前記第１のノッチアンテナの開放端と前記第２のノッチアンテナの開放端の間には、金属、誘電体または磁性体が配置されている
ことを特徴とする請求項１に記載のアンテナ装置。
【請求項８】
前記第１のノッチアンテナと前記第２のノッチアンテナの少なくとも一方は、集中定数素子を有する
ことを特徴とする請求項１に記載のアンテナ装置。
【請求項９】
前記第２のノッチアンテナは、任意のリアクタンス値を与える位相器を有する
ことを特徴とする請求項１に記載のアンテナ装置。
【請求項１０】
無線回路と高周波的に独立した基板と、
前記基板上に形成された、給電部を有する切れ込み形のノッチアンテナにより構成される第１のアンテナと、
前記第１のアンテナと主偏波方向が同一となるように、前記第１のアンテナの開放端付近に配置され、前記第１のアンテナと電磁結合により動作する第２のアンテナと
を備えることを特徴とするアンテナ装置。
【請求項１１】
前記第２のアンテナは、線状アンテナであり、ジグザグ形、ヘリカル形、メアンダ形、またはループ形である
ことを特徴とする請求項１０に記載のアンテナ装置。
【請求項１２】
前記第２のアンテナは、前記第１のアンテナが形成された前記基板とは異なる基板に設けられたノッチアンテナである
ことを特徴とする請求項１０に記載のアンテナ装置。
【請求項１３】
無線回路と高周波的に独立した基板と、
前記基板上に形成された、給電部を有する切れ込み形の第１のノッチアンテナと、
前記基板上に形成された、前記第１のノッチアンテナと電磁結合により動作する切れ込み形の第２のノッチアンテナと、
前記基板を収容する筐体と
を備えることを特徴とする携帯無線通信端末。
【請求項１４】
前記筐体は、前記基板を収容する第１の筐体と、
前記第１の筐体に対して開閉自在な第２の筐体とにより構成され、
前記第１のノッチアンテナと前記第２のノッチアンテナの開放端は、前記第１の筐体と前記第２の筐体とを閉じた状態にした場合、前記第１の筐体の、前記第２の筐体より突出した部分に配置されている
ことを特徴とする請求項１３に記載の携帯無線通信端末。
【請求項１５】
無線回路と高周波的に独立した基板と、
前記基板上に形成された、給電部を有する切れ込み形のノッチアンテナにより構成される第１のアンテナと、
前記第１のアンテナと主偏波方向が同一となるように、前記第１のアンテナの開放端付近に配置され、前記第１のアンテナと電磁結合により動作する第２のアンテナと、
前記第１のアンテナと前記第２のアンテナを収容する筐体と
を備えることを特徴とする携帯無線通信端末。
【請求項１６】
前記筐体は、前記基板を収容する第１の筐体と、
前記第１の筐体に対して開閉自在な第２の筐体とにより構成され、
前記第１のアンテナの開放端と、前記第２のアンテナは、前記第１の筐体と前記第２の筐体とを閉じた状態にした場合、前記第１の筐体の、前記第２の筐体より突出した部分に配置されている
ことを特徴とする請求項１５に記載の携帯無線通信端末。
【発明の詳細な説明】
【０００１】
【発明の属する技術分野】
本発明は、アンテナ装置および携帯無線通信端末に関し、特に、アンテナの性能を向上させるようにしたアンテナ装置および携帯無線通信端末に関する。
【０００２】
【従来の技術】
ノッチアンテナは、スロットアンテナの縁端を開放することにより小型化を図ったアンテナであり、従来から広く利用されている。特に、このノッチアンテナは半無限の基板上に形成することで、より広い周波数帯域の特性が得られる。
【０００３】
【発明が解決しようとする課題】
ところで、携帯電話機は、小型化、軽量化に伴い、使用される基板も小型化されるようになってきた。その結果、携帯電話機のアンテナとしてノッチアンテナを基板に形成したとしても、必ずしも充分に広い周波数特性が得られないという課題があった。
【０００４】
このことを、図１を参照して、以下に説明する。
【０００５】
図１は、携帯電話機の内部に設置される、従来のアンテナ装置の例を示す図である。図１の例においては、横の長さが０．２７λｒであり、縦の長さが０．５λｒである基板１上に、給電部３を有するノッチアンテナ２が形成される。このノッチアンテナ２は、全体の形状が、ほぼＬ字の形になるように、基板１の一方の（図中、下側の）縁端から０．０４λｒの長さの位置で、右側に折り曲げられ、その折り曲げられた位置より０．１３λｒの長さまで、切り込まれて形成されている。なお、λｒは、携帯電話機が送受信する電波の波長を表している。
【０００６】
図１に示される従来のアンテナ装置を携帯電話機上で用いた場合の入力インピーダンス特性が、図２に示されている。図２Ａは、アンテナ装置のインピーダンス特性を表すスミスチャートであり、図２Ｂは、アンテナ装置のインピーダンス整合を表す電圧定在波比（ＶＳＷＲ（Ｖｏｌｔａｇｅ　Ｓｔａｎｄｉｎｇ　Ｗａｖｅ　Ｒａｔｉｏ））特性を示す図である。
【０００７】
図２Ａにおいては、このアンテナ装置のインピーダンス特性を表す軌跡ｍ１が中心Ｏから離れていることが示される。したがって、このアンテナ装置のインピーダンス特性が広帯域性ではないことがわかる。
【０００８】
図２Ｂにおいては、横軸が周波数を示し、所定の周波数ｆ０を中心に、右に行くほど周波数が高くなり（１．２５ｆ０）、左に行くほど周波数が低くなる（０．７５ｆ０）。縦軸は、ＶＳＷＲの値を示し、上に行くほどＶＳＷＲの値が大きくなる。このアンテナ装置は、ノッチアンテナ２により形成されており、単共振の特性を持つため、例えば、帯域幅ＢＷ（０．９４ｆ０乃至１．０６ｆ０）においては、帯域端でＶＳＷＲ＝４．５となる。これは、少なくとも無線回路とのインピーダンスの不整合による損失により放射効率が３６％低下することを示しており、これにより、このアンテナ装置では十分な帯域が取れてないことがわかる。
【０００９】
以上のように、近年の小型化された携帯電話機においては、ノッチアンテナが形成される基板が、携帯電話機が処理する信号の波長に比較して小形になるため、従来のアンテナ装置においては十分に広い帯域特性がとれないという課題があった。
【００１０】
さらに、図３は、図１のアンテナ装置における基板表面の電気分布を示す図である。図３においては、例えば、高周波電流があまり分布していない範囲ｅ１、高周波電流が適度に分布している範囲ｅ２、および、高周波電流が集中して分布している範囲ｅ３に分けることができる。そして、高周波電流が集中して分布している範囲ｅ３には、ノッチアンテナ２の切り込み部分が含まれており、ノッチアンテナ２の切り込み部分に高周波電流が集中していることがわかる。
【００１１】
したがって、このアンテナ装置において、高周波電流が集中しているノッチアンテナ２の切りこみ部分に人体などが近接した場合、単共振であるため、入力インピーダンス特性が低抵抗となり、無線回路との不整合が生じてしまう。その結果、このアンテナ装置の放射効率が低下し、著しくアンテナ特性が劣化してしまうという課題があった。
【００１２】
本発明は、このような状況に鑑みてなされたものであり、アンテナの性能を向上させるようにするものである。
【００１３】
【課題を解決するための手段】
本発明の第１のアンテナ装置は、無線回路と高周波的に独立した基板と、基板上に形成された、給電部を有する切れ込み形の第１のノッチアンテナと、基板上に形成された、第１のノッチアンテナと電磁結合により動作する切れ込み形の第２のノッチアンテナとを備えることを特徴とする。
【００１４】
第２のノッチアンテナは、第１のノッチアンテナと異なる長さの切り込み形に形成されているようにすることができる。
【００１５】
第２のノッチアンテナは、第１のノッチアンテナと主偏波が同一となるように平行に設けられているようにすることができる。
【００１６】
第１のノッチアンテナと第２のノッチアンテナの切れ込み形は、Ｌ形、ジグザグ形またはメアンダ形であるようにすることができる。
【００１７】
第２のノッチアンテナは、異なる長さの切り込み形のものが、２つ以上設けられているようにすることができる。
【００１８】
第１のノッチアンテナの開放端と第２のノッチアンテナの開放端は、共通開放端と接続されているようにすることができる。
【００１９】
第１のノッチアンテナの開放端と第２のノッチアンテナの開放端の間には、金属、誘電体または磁性体が配置されているようにすることができる。
【００２０】
第１のノッチアンテナと第２のノッチアンテナの少なくとも一方は、集中定数素子を有するようにすることができる。
【００２１】
第２のノッチアンテナは、任意のリアクタンス値を与える位相器を有するようにすることができる。
【００２２】
本発明の第２のアンテナ装置は、無線回路と高周波的に独立した基板と、基板上に形成された、給電部を有する切れ込み形のノッチアンテナにより構成される第１のアンテナと、第１のアンテナと主偏波方向が同一となるように、第１のアンテナの開放端付近に配置され、第１のアンテナと電磁結合により動作する第２のアンテナとを備えることを特徴とする。
【００２３】
第２のアンテナは、線状アンテナであり、ジグザグ形、ヘリカル形、メアンダ形、またはループ形であるようにすることができる。
【００２４】
第２のアンテナは、第１のアンテナが形成された基板とは異なる基板に設けられたノッチアンテナであるようにすることができる。
【００２５】
本発明の第１の携帯無線通信端末は、無線回路と高周波的に独立した基板と、基板上に形成された、給電部を有する切れ込み形の第１のノッチアンテナと、基板上に形成された、第１のノッチアンテナと電磁結合により動作する切れ込み形の第２のノッチアンテナと、基板を収容する筐体とを備えることを特徴とする。
【００２６】
筐体は、基板を収容する第１の筐体と、第１の筐体に対して開閉自在な第２の筐体とにより構成され、第１のノッチアンテナと第２のノッチアンテナの開放端は、第１の筐体と第２の筐体とを閉じた状態にした場合、第１の筐体の、第２の筐体より突出した部分に配置されているようにすることができる。
【００２７】
本発明の第２の携帯無線通信端末は、無線回路と高周波的に独立した基板と、基板上に形成された、給電部を有する切れ込み形のノッチアンテナにより構成される第１のアンテナと、第１のアンテナと主偏波方向が同一となるように、第１のアンテナの開放端付近に配置され、第１のアンテナと電磁結合により動作する第２のアンテナと、第１のアンテナと第２のアンテナを収容する筐体とを備えることを特徴とする。
【００２８】
筐体は、基板を収容する第１の筐体と、第１の筐体に対して開閉自在な第２の筐体とにより構成され、第１のアンテナの開放端と、第２のアンテナは、第１の筐体と第２の筐体とを閉じた状態にした場合、第１の筐体の、第２の筐体より突出した部分に配置されているようにすることができる。
【００２９】
本発明の第１のアンテナ装置および携帯無線通信端末においては、基板が無線回路と高周波的に独立され、その基板上に、給電部を有する切れ込み形の第１のノッチアンテナと、第１のノッチアンテナと電磁結合により動作する切れ込み形の第２のノッチアンテナとが形成される。
【００３０】
本発明の第２のアンテナ装置および携帯無線通信端末においては、基板が無線回路と高周波的に独立され、その基板上に、給電部を有する切れ込み形のノッチアンテナにより構成される第１のアンテナが形成される。そして、第１のアンテナと主偏波方向が同一となるように、第１のアンテナと電磁結合により動作する第２のアンテナが、第１のアンテナの開放端付近に配置される。
【００３１】
【発明の実施の形態】
以下、図を参照して本発明の実施の形態について説明する。
【００３２】
図４は、本発明を適用した携帯電話機の内部に収容される基板に形成されるアンテナ装置の構成例を示す図である。なお、この基板には、マイクロフォン、スピーカ、表示部、制御部などの各種回路が形成されるが、図４の例では、説明の便宜上省略されている。この基板は、これらの各回路が基準電位のグラウンドとして接続される。
【００３３】
図４においては、アンテナ装置は、最寄りの基地局（図示せず）などからの高周波信号を送受信する無線回路２２、ノッチアンテナ２３およびノッチアンテナ２４が設けられた基板２１により構成される。この基板２１は、無線回路２２とは高周波的に独立している。
【００３４】
ノッチアンテナ２３は、基板２１において、無線回路２２が設けられた位置とは反対側の縁端（図中下側）からλ／４の長さの所定の幅の直線の切り込み（スリット）により、開放端２３ａを有するように形成される。また、ノッチアンテナ２３は、給電部２５を有しており、給電部２５を介しての無線回路２２からの高周波電流により動作する。
【００３５】
ノッチアンテナ２４は、ノッチアンテナ２３から距離ｄだけ離れた位置に、ノッチアンテナ２３と同じ縁端からノッチアンテナ２３と同一方向に切り込まれた、λ／４よりも若干短い長さの直線の切り込みにより、開放端２４ａを有するように形成される。ノッチアンテナ２４は、ノッチアンテナ２３と平行に形成され、その幅は同一とされる。ノッチアンテナ２４は、給電部２５を持たず、ノッチアンテナ２３と電磁結合により動作する。
【００３６】
ノッチアンテナ２３とノッチアンテナ２４は、距離ｄが短くなると（特に開放端２３ａと開放端２４ａの距離ｄが短くなると）、電磁結合が強くなり、長くなると弱くなる傾向がある。実験によれば、例えば、基準周波数ｆ０に対応する波長をλとするとき、距離ｄの長さは、λ／３０乃至λ／５とするのが好ましい。
【００３７】
ノッチアンテナ２３およびノッチアンテナ２４の２つのアンテナの長さを多少変えることにより、このアンテナ装置の多共振化、すなわち広帯域化が図れる。また、この２つのアンテナは、同一方向への切り込みにする（平行にする）ことで主偏波方向を同一にすることができる。
【００３８】
図５は、図４のアンテナ装置の具体的な構成例を示す図である。なお、図５において、図４における場合と対応する部分には対応する符号を付してあり、その説明は繰り返しになるので適宜省略する。
【００３９】
図５においては、基板２１のサイズは、横の長さが０．２７λｒとされ、縦の長さが０．５λｒとされている。λｒは通信電波の波長である。ノッチアンテナ２３は、基板１の一方の縁端から０．２λｒの長さで直線状に切り込まれて形成されている。また、ノッチアンテナ２３から０．１λｒの距離だけ右に離れた位置に、ノッチアンテナ２３と電磁結合により動作するノッチアンテナ２４が、ノッチアンテナ２３と平行に切り込まれて形成されている。なお、このノッチアンテナ２４の切り込みは、ノッチアンテナ２３の長さである０．２λｒよりも若干短く形成されている。
【００４０】
以上のように、図５のアンテナ装置においては、電磁結合により動作するノッチアンテナ２４が、給電部２５を有するノッチアンテナ２３と同調するように寸法パラメータが調整されている。
【００４１】
図５に示されるアンテナ装置の入力インピーダンス特性が、図６に示されている。図６Ａは、アンテナ装置のインピーダンス特性を表すスミスチャートであり、図６Ｂは、アンテナ装置のインピーダンス整合を表す電圧定在波比（ＶＳＷＲ）特性を示す図である。
【００４２】
図６Ａにおいては、このアンテナ装置のインピーダンス特性を表す軌跡ｍ２が、スミスチャートの中心Ｏに集中するα型となっており、これにより、このアンテナ装置のインピーダンス特性が広帯域性となっていることがわかる。
【００４３】
図６Ｂにおいては、横軸が周波数を示し、所定の周波数ｆ０（＝１／λｒ）を中心に、右に行くほど周波数が高くなり（１．２５ｆ０）、左に行くほど周波数が低くなる（０．７５ｆ０）。縦軸は、ＶＳＷＲの値を示し、上に行くほどＶＳＷＲの値が大きくなる。このＶＳＷＲは、その値が小さいほど、インピーダンス整合がよいことを意味する。
【００４４】
図６Ｂの例では、帯域幅ＢＷ（０．９４ｆ０乃至１．０６ｆ０）においては、ＶＳＷＲの最大値が、３．０となる。これは、少なくとも無線回路２２とのインピーダンスの不整合による損失により放射効率が１４％低下することを示している。すなわち、このアンテナ装置によれば、図２を参照して説明した従来のアンテナ装置の放射効率が３６％であるのに較べて、アンテナ装置の放射効率が２２％向上できたことになる。
【００４５】
さらに、図５のアンテナ装置が搭載されている携帯電話機を手で持った場合の入力インピーダンス特性を、図７および図８を参照して説明する。図７Ａ，図８Ａは、アンテナ装置のインピーダンス特性を表すスミスチャートであり、図７Ｂ，図８Ｂは、アンテナ装置のインピーダンス整合を表す電圧定在波比（ＶＳＷＲ）特性を示す図である。
【００４６】
図７は、ノッチアンテナ２３および２４の切り込みの上半分を手で覆った場合のアンテナ装置のインピーダンス特性を示している。図７Ａにおいては、このアンテナ装置のインピーダンス特性を表す軌跡ｍ３がスミスチャートの中心Ｏに集中するようなα型を形成しており、このアンテナ装置が広帯域特性を有していることがわかる。また、図７Ｂにおいては、帯域幅ＢＷ（０．９４ｆ０乃至１．０６ｆ０）において、このアンテナ装置のＶＳＷＲの値が１．８以下であり、安定したインピーダンス特性が得られていることがわかる。
【００４７】
図８においては、ノッチアンテナ２３および２４の切り込みをすべて完全に手で覆った場合のインピーダンス特性を示している。図８Ａにおいては、このアンテナ装置のインピーダンス特性を表す軌跡ｍ４が、スミスチャートの中心Ｏの近くに集中しているため、このアンテナ装置の広帯域特性がまだ保持されていることがわかる。また、図８Ｂにおいては、帯域幅ＢＷ（０．９４ｆ０乃至１．０６ｆ０）において、このアンテナ装置のＶＳＷＲの値が２．２以下であり、安定したインピーダンス特性が得られていることがわかる。
【００４８】
以上のように、外乱である手の影響を受けても、電磁結合により動作するノッチアンテナ２４が、給電部２５を有するノッチアンテナ２３と同調するように寸法パラメータを調整するようにしたので、広帯域の安定したインピーダンス特性が得られる。
【００４９】
さらに、本発明を適用した携帯電話機の内部の基板に形成されるアンテナ装置の他の構成例について説明する。なお、以下において、図４における場合と対応する部分には対応する符号を付してあり、その説明は繰り返しになるので適宜省略する。
【００５０】
図９の例のアンテナ装置の場合、給電部２５を有するノッチアンテナ２３は、基板２１の一方の縁端の開放端２３ａから所定の長さの位置（点Ｐ１）で図中左側に、Ｌの字になるように折り曲げられ、その点Ｐ１から所定の位置（終点）まで切り込まれて形成されている。ノッチアンテナ２３と電磁結合により動作するノッチアンテナ２４は、基板２１の一方の縁端の開放端２４ａから所定の長さの位置（点Ｐ２）で図中右側に、Ｌ字になるように折り曲げられ、その点Ｐ２から所定の位置（終点）まで切り込まれて形成されている。
【００５１】
ノッチアンテナ２３において、基板２１の開放端２３ａから点Ｐ１までの長さと、その点Ｐ１から終点までを合わせた長さがλ／４とされる。ノッチアンテナ２４において、基板２１の開放端２４ａから点Ｐ２までの長さと、その点Ｐ２から終点までを合わせた長さがλ／４より若干短い長さとされる。したがって、基板２１の長手方向（基板２１の開放端２３ａ，２４ａから点Ｐ１，Ｐ２まで）の長さを短縮するようにできるので、図９のノッチアンテナ２３および２４で形成されるアンテナ装置は、図４に示されるアンテナ装置よりも小型化することが可能である。
【００５２】
なお、図９において、ノッチアンテナ２３および２４の切り込み形をＬ字形としたが、メアンダ形またはジグザグ形にしてもよい。
【００５３】
図１０の例のアンテナ装置の場合、ノッチアンテナ２３と電磁結合により動作するノッチアンテナが、ノッチアンテナ２４−１および２４−２として、基板２１の縁端から所定の長さの直線の切り込みにより２本形成されている。ノッチアンテナ２４−１は、ノッチアンテナ２３の右側に所定の距離だけ離した位置に、開放端２４−１ａから、λ／４よりも若干長く形成されている。ノッチアンテナ２４−２は、ノッチアンテナ２４−１の右側に、所定の距離だけ離した位置に、開放端２４−２ａから、λ／４よりも若干短く形成されている。また、このノッチアンテナ２４−１および２４−２は、ノッチアンテナ２３と平行とされる。
【００５４】
このように、図１０のアンテナ装置においては、電磁結合により動作する、異なる長さのノッチアンテナを複数個形成するようにしたので、１個の場合より、共振の全体の帯域が広くなる。すなわち、通常、アンテナは、（λ／４）×Ｎ（アンテナの個数）で共振するので、ノッチアンテナ２４−１および２４−２により、給電部２５を有するノッチアンテナ２３とは異なる任意の周波数での多共振化が図れる。
【００５５】
なお、図１０においては、電磁結合により動作するノッチアンテナ２４−１および２４−２は、２つしか図示していないが、３個以上であってもよい。また、ノッチアンテナ２３を左側に配置し、ノッチアンテナ２４−１および２４−２を右側に配置するようにしたが、逆に配置するようにしてもよいし、その並びは問わない。
【００５６】
図１１の例のアンテナ装置の場合、基板２１上において、ノッチアンテナ２３の開放端２３ａとノッチアンテナ２４の開放端２４ａの近傍に、基板２１に接続された金属導体３１ａおよび３１ｂが互いに近接するように配置されている（金属導体３１ａ，３１ｂの部分は、基板２１により構成してもよい）。これにより、他の部品との位置関係から、ノッチアンテナ２３および２４の距離ｄを短くすることができないなどの理由により弱くなっている電磁結合を強めることができる。
【００５７】
なお、この構成は、金属導体３１ａ，３１ｂを、開放端３１ｃを介して対向させるものと認識することもできるが、開放端２３ａと開放端２３ｂを、共通開放端としての開放端３１ｃと接続するものと認識することもできる。
【００５８】
以上のように、図１１のアンテナ装置においては、基板２１、または基板２１に接続された金属導体３１を近接させ、電磁結合を強くするように調整できるので、基板２１上において、他の部品（図示せず）との関係によりノッチアンテナ２３および２４を理想の位置に配置できず、そのために、２つのノッチアンテナ間の電磁結合が弱くなってしまうことに対して対処することができる。
【００５９】
さらに、図１２は、図１１のアンテナ装置における基板表面の電気分布を示す図である。図１２においては、例えば、高周波電流がほとんど分布していない範囲ｅ０、高周波電流があまり分布していない範囲ｅ１、高周波電流が適度に分布している範囲ｅ２、および、高周波電流が集中して分布している範囲ｅ３に分けることができる。高周波電流が集中して分布している範囲ｅ３に示されるように、図１１のアンテナ装置においては、電磁結合により動作するノッチアンテナ２４の開放端２４ａが、給電部２５を有するノッチアンテナ２３の開放端２３ａともに、共通開放端としての開放端３１ｃに接続されているため、２つのアンテナ（ノッチアンテナ２３および２４）に高周波電流が分散していることがわかる。したがって、例えば、一方のノッチアンテナ２３が人体が触れるなどの外乱の影響を受けたとしても、もう一方のノッチアンテナ２４があるため、入力インピーダンス特性が変化しにくくなり、その結果、安定したインピーダンス特性が得られる。
【００６０】
一方、図１３の例のアンテナ装置の場合、基板２１上において、ノッチアンテナ２３の開放端２３ａおよびノッチアンテナ２４の開放端２４ａ側で、ノッチアンテナ２３とノッチアンテナ２４の間に、金属４１が配置されている。これにより、図１１のアンテナ装置の場合とは逆に、ノッチアンテナ２３および２４の距離ｄが近づきすぎているなどの理由により強くなりすぎている電磁結合を弱めることができる。
【００６１】
なお、この金属４１は、電界を弱める部材であれば、金属だけでなく、誘電体または磁性体などにより構成するようにしてもよい。
【００６２】
以上のように、図１３のアンテナ装置においては、ノッチアンテナ２３および２４の間に、金属などを配置し、電磁結合を弱くするように調整できるので、基板２１上において、他の部品（図示せず）との関係によりノッチアンテナ２３および２４を理想の位置に配置できず、そのために、電磁結合が強くなってしまうことに対して対処することができる。
【００６３】
図１４の例のアンテナ装置の場合、図１１のアンテナ装置と同様に、ノッチアンテナ２３の開放端２３ａおよびノッチアンテナ２４の開放端２４ａ側で、基板２１の一部が基板２１ａ，２１ｂとして延長され、基板２１ａおよび２１ｂが互いに近接されている。その近接された基板２１ａおよび２１ｂ上に、キャパシタまたはコンダクタなどにより構成される集中定数素子５１ａ，５１ｂ，５１ｃが配置されている。図１４の例においては、例えば、この集中定数素子５１ａ，５１ｂ，５１ｃのうち、中央に配置される集中定数素子５１ｂをキャパシタ、それ以外の集中定数素子５１ａおよび５１ｃをコンダクタとし、そのキャパシタである集中定数素子５１ｂの容量Ｃを変更することにより、電磁結合の強弱を調整することができる。
【００６４】
以上のように、図１４のアンテナ装置においては、基板２１の一部に集中定数素子を設けることにより、ノッチアンテナの切り込み形の寸法またはノッチアンテナ同士の距離以外に、アンテナ特性を調整することができる。
【００６５】
さらに、図１５の例のアンテナ装置の場合、図４のアンテナ装置において、電磁結合により動作するノッチアンテナ２４上の任意の位置に、任意のリアクタンス成分を有する位相器６１が設けられている。図１５のアンテナ装置においては、この位相器６１により、適応的に電磁結合の強弱が変えられるので、例えば、ユーザが、このアンテナ装置が用いられる携帯端末を手で持つか、持たないかにより電磁結合の強弱の最適値が変化する場合などに、それぞれの場合において、最適値を設定することができる。
【００６６】
このように、図１５のアンテナ装置においては、電磁結合により動作するノッチアンテナ２４に接続された位相器６１により、インピーダンスおよび放射パターンなどのアンテナ特性を任意に調整できる。さらに、この位相器６１により位相量を任意に変化させるようにすることにより、通信環境に応じてアクティブにアンテナ特性が調整される。
【００６７】
以上のように、給電部を有したノッチアンテナと同一基板上に、電磁結合により動作するノッチアンテナを、同一主偏波を発生するように形成し、そのノッチアンテナの切りこみの形状、その距離などの関係を調整したり、または、金属、集中定数素子、位相器などを入れるようにしたので、アンテナ装置の入力インピーダンス特性の広帯域化、すなわち多共振化が図ることができる。
【００６８】
次に、図１６および図１７を参照して、給電部２５を有するノッチアンテナ２３と電磁結合により動作するアンテナが、ノッチアンテナ２３が形成されている基板２１以外に配置されるアンテナ装置の例を説明する。
【００６９】
図１６の例のアンテナ装置の場合、給電部２５を有するノッチアンテナ２３と電磁結合により動作するアンテナとして、線状アンテナ７１が用いられる。線状アンテナ７１は、ノッチアンテナ２３と電磁結合により動作する、λ／２の長さのアンテナであり、ノッチアンテナ２３の開放端２３ａの近傍に配置される。また、線状アンテナ７１は、ノッチアンテナ２３と主偏波方向が同一となるように、ノッチアンテナ２３の切れ込みに対して直交するように配置されている。これにより、ノッチアンテナ２３の主偏波方向は、そのスリットの幅方向（図中、左右方向）であるから、線状アンテナ７１の主偏波方向である主偏波方向ｈ（長手方向）を、ノッチアンテナ２３の主偏波方向と同一（平行）にすることができる。
【００７０】
なお、一般に、ユーザは、携帯電話機を水平方向に対して若干傾けて通話する（使用する）ことが多いため、通話時には、この線状アンテナ７１の主偏波方向ｈが地面に対して垂直に近くなり、結果的に、携帯電話機の基地局の垂直偏波と同一方向となるため、利得が大きくなる傾向がある。
【００７１】
また、図１６の例においては、線状アンテナ７１を直線状のアンテナとしているが、メアンダ形、ジグザグ形またはヘリカル形としてもよい。
【００７２】
図１７の例のアンテナ装置の場合、図１６の線状アンテナ７１の代わりに、λの長さのアンテナを１周（ループ）させた、折り返しアンテナ８１が使用されている。線状アンテナ７１と同様に、折り返しアンテナ８１も、主偏波方向ｈになるように配置されている。したがって、図１６の線状アンテナ７１の場合と同様な効果が得られる。
【００７３】
なお、この場合、折り返しアンテナ８１の、主偏波方向ｈに直交する方向の折り返す距離ｅは、微小な距離とされる。
【００７４】
以上の例では、給電部２５を有するノッチアンテナ２３の近傍に、主偏波方向が同じになるように、電磁結合により動作するアンテナを配置するようにしたので、図４に示されるアンテナ装置と同様の効果を得ることができる。
【００７５】
以上のようなアンテナ装置を携帯電話機に適用した場合を図１８乃至図２０を参照して説明する。なお、以下においては、図４に示されるアンテナ装置が携帯電話機に使用されているものとする。
【００７６】
図１８Ａおよび図１９Ａにおいて、携帯電話機２０１は、表示部２１４およびスピーカ２１５を有する上部筐体２１１、操作部２１６およびマイクロフォン２１７を有する下部筐体２１２、および、上部筐体２１１と下部筐体２１２を結合するためのヒンジ２１３で構成される。なお、図１８Ａおよび図１９Ａにおいてヒンジ２１３は、簡略化されているが、上部筐体２１１および下部筐体２１２はヒンジ２１３を中心として回動自在に支持されている。
【００７７】
図１８Ｂおよび図１９Ｂは、図１８Ａおよび図１９Ａの携帯電話機２０１の内部の基板の構成例を示す図である。なお、図１８Ｂおよび図１９Ｂにおいて、図４における場合と対応する部分には対応する符号を付してあり、その説明は繰り返しになるので適宜省略する。
【００７８】
図１８Ｂの例の場合、アンテナ装置が形成されている基板２１ａは、携帯電話機２０１の最下部にノッチアンテナ２３および２４が配置されるように、下部筐体２１２に収容され、携帯電話機２０１の上部筐体２１１には、アンテナ装置が形成されていない基板２１ｂが収容されている。これにより、ノッチアンテナ２３および２４（特に、ノッチアンテナ２３の開放端２３ａとノッチアンテナ２４の開放端２４ａ）が、頭部の下方に配置されるのでアンテナ特性に対する頭部からの影響の恐れを軽減させることができる。
【００７９】
図１９Ｂの例の場合、アンテナ装置が形成されている基板２１ａは、携帯電話機２０１の最上部にノッチアンテナ２３および２４が配置されるように、上部筐体２１１に収容され、携帯電話機２０１の下部筐体２１２には、アンテナ装置が形成されていない基板２１ｂが収容されている。これにより、アンテナ特性に対する携帯電話機２０１を保持する持ち手からの影響の恐れを軽減させることができる。
【００８０】
なお、特に図示はしないが、上部筐体２１１および下部筐体２１２の両方にアンテナ装置を設置してもよい。この場合、上部筐体２１１のアンテナ装置および下部筐体２１２のアンテナ装置を切り換えるようにしたり、または、両方のアンテナ装置で受信された信号の合成を行うことにより、通信環境に応じて最適なアンテナ特性が得られるようになる。
【００８１】
以上においては、上部筐体２１１および下部筐体２１２が回動自在な折りたたみ式の携帯電話機について説明したが、本発明は、折りたたみ式ではない、ストレート型の携帯電話機にも適用可能である。
【００８２】
図２０Ａは、図１８Ａの携帯電話機２０１の上部筐体２１１および下部筐体２１２を、それぞれ上部筐体２２１および下部筐体２２２に置き換えた例を示す。
【００８３】
図２０Ａにおいては、下部筐体２２２よりも上部筐体２２１の方が所定の長さｒだけ短くなるように形成されており、それにしたがって、図２０Ｂに示されるように、上部筐体２２１に収容される、アンテナ装置の形成されていない基板２１ｃも、下部筐体２２２に収容される、アンテナ装置の形成されている基板２１ａよりも所定の長さｒだけ短く形成されている。
【００８４】
したがって、図２０Ｃに示されるように、携帯電話機２０１の上部筐体２１１がヒンジ２１３を中心として回動され、下部筐体２１２と合わせるように折りたたまれた場合に、下部筐体２２２の下方の部分２３１は、上部筐体２２１とは重ならず、下方に突出した状態になる。その結果、図２０Ｂのノッチアンテナ２３の開放端２３ａとノッチアンテナ２４の開放端２４ａが、もう一方の基板２１ｃとは重ならず（対向せず）、下方に突出した構成になる。
【００８５】
これにより、特に、下部筐体２２２と上部筐体２２１が閉じられた待ち受け状態において、ノッチアンテナ２３および２４が、もう一方の基板２１ｃが対向配置されることにより影響を受け、広帯域特性が実現できなくなるようなことが抑制される。
【００８６】
さらに、上部筐体２１１および下部筐体２１２が回動自在である折りたたみ式の携帯電話機２０１に用いられる他のアンテナ装置の構成例を、図２１を参照して説明する。なお、図２１において、図４における場合と対応する部分には対応する符号を付してあり、その説明は繰り返しになるので適宜省略する。
【００８７】
図２１の例のアンテナ装置においては、基板２１が、携帯電話機２０１の上部筐体２１１に収容され、基板３０１は、携帯電話機２０１の下部筐体２１２に収容される。なお、図２１においては、携帯電話機２０１の上部筐体２１１と下部筐体２１２は、開放状態とされている。
【００８８】
基板３０１上には、ノッチアンテナ２３と電磁結合により動作するノッチアンテナ３０２が、基板２１側の縁端の開放端３０２ａからλ／４よりも若干短い長さで形成される。したがって、基板２１のノッチアンテナ２３の開放端２３ａの近傍に、基板３０１のノッチアンテナ３０２の開放端３０２ａが配置される。また、この２つのアンテナは、同一方向への切り込み（平行なスリット）になっているため、これにより、主偏波を同一（平行）とすることができる。
【００８９】
さらに、図２２は、図２１のアンテナ装置を用いた携帯電話機２０１において、基板２１と基板３０１を、ヒンジ２１３（図１９）を中心として回動し、基板３０１が設置された下部筐体２１２を矢印Ｐのように奥側に折りたたむように、基板２１が設置された上部筐体２１１とを合わされた図を示している。
【００９０】
図２２に示されるように、上部筐体２１１と下部筐体２１２が折りたたまれた状態の場合も、ノッチアンテナ２３の開放端２３ａの近傍に、ノッチアンテナ３０２の開放端３０２ａが配置される。このため、携帯電話機が折りたたまれた状態の場合においても、開放状態の場合と同様に、広い帯域特性を得ることができる。
【００９１】
以上のように、他基板に形成されたノッチアンテナであっても、給電部を有したノッチアンテナの開放端付近に、同一主偏波を発生するようにアンテナを設けるようにしたので、図１６のアンテナ装置と同様の効果を得ることができる。
【００９２】
以上のように、給電部を有したノッチアンテナの開放端付近に、同一主偏波を発生するように電磁結合により動作するアンテナを設けるようにしたので、アンテナ装置の入力インピーダンス特性の広帯域化、多共振化が図ることができる。
【００９３】
以上、本発明を携帯電話機に適用した場合を例としたが、本発明は、ＰＤＡ（Ｐｅｒｓｏｎａｌ　Ｄｉｇｉｔａｌ　Ａｓｓｉｓｔａｎｔｓ）など、アンテナ装置を有する、その他の携帯型無線通信端末に適用することが可能である。
【００９４】
【発明の効果】
以上の如く、本発明によれば、アンテナ装置の性能を向上できる。また、本発明によれば、安定したインピーダンス特性が得られる。さらに、本発明によれば、広帯域特性を実現することができる。
【図面の簡単な説明】
【図１】従来の携帯電話機のアンテナ装置の構成例を示す図である。
【図２】図１のアンテナ装置のインピーダンス特性を説明する図である。
【図３】図１のアンテナ装置の電流分布を説明する図である。
【図４】本発明を適用した携帯電話機のアンテナ装置の構成例を示す図である。
【図５】図４のアンテナ装置の具体的な構成例を示す図である。
【図６】図５のアンテナ装置のインピーダンス特性を説明する図である。
【図７】図５のアンテナ装置のインピーダンス特性を説明する図である。
【図８】図５のアンテナ装置のインピーダンス特性を説明する図である。
【図９】本発明を適用したアンテナ装置の他の構成例を示す図である。
【図１０】本発明を適用したアンテナ装置のさらに他の構成例を示す図である。
【図１１】本発明を適用したアンテナ装置のさらに他の構成例を示す図である。
【図１２】図１１のアンテナ装置の電流分布を説明する図である。
【図１３】本発明を適用したアンテナ装置のさらに他の構成例を示す図である。
【図１４】本発明を適用したアンテナ装置のさらに他の構成例を示す図である。
【図１５】本発明を適用したアンテナ装置のさらに他の構成例を示す図である。
【図１６】本発明を適用したアンテナ装置の他の構成例を示す図である。
【図１７】本発明を適用したアンテナ装置のさらに他の構成例を示す図である。
【図１８】図４のアンテナ装置を用いた携帯電話機の構成例を示す図である。
【図１９】図４のアンテナ装置を用いた携帯電話機の他の構成例を示す図である。
【図２０】図４のアンテナ装置を用いた携帯電話機のさらに他の構成例を示す図である。
【図２１】本発明を適用したアンテナ装置の他の構成例を示す図である。
【図２２】図２１のアンテナ装置が折りたたまれた状態の場合を説明する図である。
【符号の説明】
２１，２１ａ，２１ｂ　基板，２２　無線回路，２３　ノッチアンテナ，２３ａ開放端，２４，２４−１，２４−２　ノッチアンテナ，２４ａ　開放端，２５給電部，　３１ａ，３１ｂ　金属導体，３１ｃ　開放端，４１　金属，５１ａ乃至５１ｃ　集中定数素子，６１　位相器，７１　線状アンテナ，８１　折り返しアンテナ，２０１　携帯電話機，２１１　上部筐体，２１２　下部筐体，２１３　ヒンジ，２２１　上部筐体，２２２　下部筐体，３０１　基板，３０２　ノッチアンテナ，３０２ａ　開放端
【図１】
2004056421.tif 000003
【図２】
2004056421.tif 000004
【図３】
2004056421.tif 000005
【図４】
2004056421.tif 000006
【図５】
2004056421.tif 000007
【図６】
2004056421.tif 000008
【図７】
2004056421.tif 000009
【図８】
2004056421.tif 000010
【図９】
2004056421.tif 000011
【図１０】
2004056421.tif 000012
【図１１】
2004056421.tif 000013
【図１２】
2004056421.tif 000014
【図１３】
2004056421.tif 000015
【図１４】
2004056421.tif 000016
【図１５】
2004056421.tif 000017
【図１６】
2004056421.tif 000018
【図１７】
2004056421.tif 000019
【図１８】
2004056421.tif 000020
【図１９】
2004056421.tif 000021
【図２０】
2004056421.tif 000022
【図２１】
2004056421.tif 000023
【図２２】
2004056421.tif 000024